(57)【要約】【課題】ねじ等の締結部材により携帯機の２つの構成部品を締結する場合であれ、ユーザによるメカニカルキーの適切な収容及び取り出しを維持しつつ、小型化を図ることのできる携帯機を提供する。【解決手段】この携帯機は、メカニカルキー２０を収容するための空間であるキー収容部１３が側部に延設されるとともに、このキー収容部１３をメカニカルキー２０が収容される部分からその延設方向に延長した部分を有して、この延長した部分の内部に突出するかたちで円柱状の軸部１２ａが形成されるケース１０と、この軸部１２ａを中心に回動するとともに、その回動操作を通じてメカニカルキー２０の一部に嵌合する位置と嵌合の解除される位置との間を変位する回動部材３１とを備える。ここでは、ケース１０にその外面に開口部を有して軸部１２ａに達するかたちで挿入孔を形成するとともに、この挿入孔にねじ５３を螺入することでケース１０に加飾部材４１を締結する。【選択図】図１
2009235669.tif 000002
【特許請求の範囲】
【請求項１】
直方体状に形成されてメカニカルキーを収容するための空間であるキー収容部が側部に延設されるとともに、同キー収容部を前記メカニカルキーが収容される部分からその延設方向に延長した部分を有して、このキー収容部を延長した部分の内部に突出するかたちで円柱状の軸部が形成されるケースと、前記軸部を中心に回動するとともに、その回動操作を通じて前記メカニカルキーの一部に嵌合する位置と嵌合の解除される位置との間を変位する回動部材とを備え、前記メカニカルキーの一部と前記回動部材との嵌合及び嵌合の解除を通じて前記メカニカルキーを前記キー収容部内に取り出し可能に保持するロック機構を有してなる携帯機において、
前記ケースには、その外周面から前記軸部に達するかたちで挿入孔が形成され、同挿入孔に挿入される締結部材により該携帯機の２つの構成部品が締結されてなる
ことを特徴とする携帯機。
【請求項２】
直方体状に形成されてメカニカルキーを収容するための空間であるキー収容部が側面に延設される凹部として形成されるとともに、このキー収容部の内部に突出するかたちで円柱状の軸部が形成されるケースを備え、前記軸部に前記メカニカルキーの一端が回転可能に軸支されるとともに、前記メカニカルキーを回転操作することで前記メカニカルキーが前記キー収容部に収容されていて使用することのできない状態及び前記キー収容部から取り出されていて使用することのできる状態のいずれかの状態に切り替えることの可能な携帯機において、
前記ケースには、その外周面から前記軸部に達するかたちで挿入孔が形成され、同挿入孔に挿入される締結部材により該携帯機の２つの構成部品が締結されてなる
ことを特徴とする携帯機。
【請求項３】
請求項１又は２に記載の携帯機において、
前記ケースの外周面に、前記キー収容部の延設される方向に沿って当該携帯機を加飾するための加飾部材が更に延設され、前記携帯機の２つの構成部品として前記ケースと前記加飾部材とが前記締結部材により締結されてなる
ことを特徴とする携帯機。
【請求項４】
前記ケースは、ロアケースとアッパケースといった２つの部品が組み合わされたものとして構成され、前記携帯機の２つの構成部品としての前記ロアケースと前記アッパケースとが前記締結部材により締結されてなる
請求項１又は２に記載の携帯機。
【請求項５】
前記挿入孔には雌ねじが螺刻されるとともに、前記締結部材がこの雌ねじに対応したねじ山を有する雄ねじからなり、同雄ねじを前記雌ねじに螺入することによって該携帯機の構成部品が締結されてなる
請求項１〜４のいずれか一項に記載の携帯機。
【発明の詳細な説明】
【技術分野】
【０００１】
本発明は、例えば車両や住宅などに用いられる無線通信システムにあってメカニカルキーを取り出し可能に収容する構造を有する携帯機に関する。
【背景技術】
【０００２】
こうした無線通信システムの一つとして、ユーザが携帯機（電子キー）を所持した状態で車両ドアに接近することにより車両ドアのアンロックが自動的に実行されるとともに、ユーザが車室内に入ることによりエンジンの始動等が許可される、いわゆる電子キーシステムが周知である。この電子キーシステムでは、例えば車両ドアに設けられた送信装置から車両ドアの周辺に設定された通信エリアにリクエスト信号を送信する。またこの電子キーシステムでは、車両側の送信装置から送信されたリクエスト信号を受信するとともに、この受信したリクエスト信号に対して識別コード（ＩＤコード）等の情報を含む応答信号を送信する携帯機をユーザが所持する。そして、車両と携帯機との間でのリクエスト信号や応答信号等の無線信号の送受信を通じて上記車両ドアのロックやアンロック、並びにエンジン始動等が実行される。
【０００３】
ところで、こうした電子キーシステムの携帯機にあっては、例えば携帯機に電池切れ等の異常が生じて車両との間の無線通信を行うことができなくなった場合に、車両ドアのロックやアンロック等を行うことができなくなるといった懸念がある。このため、このような場合に備えて、電子キーシステムの携帯機には通常、ユーザの手動操作により車両ドアのロック及びアンロック等を行うことの可能なメカニカルキー（エマージェンシーキー）が取り出し可能に収容されている。そして従来、こうした電子キーシステムの携帯機としては、例えば特許文献１に記載の携帯機が知られている。図７（ａ）に、この特許文献１に記載の携帯機の正面構造を、また、図７（ｂ）に、この携帯機の側面構造をそれぞれ示す。
【０００４】
同図７（ａ），（ｂ）に示されるように、この携帯機では、そのケース１０が、樹脂部材からなるアッパケース１１及びロアケース１２の分割体として構成されており、全体として直方体状に形成されている。そして、このケース１０の内部に上記リクエスト信号の受信を行う受信装置や上記応答信号の送信を行う送信装置等の各種電子部品（図示略）が収容されることで、これら各種電子部品がケース１０により保護されている。ここで、このケース１０の右側部には、ケース１０の下面に開口部１３ａを有してケース１０の右側面に沿って延設される中空筒状のキー収容部１３が形成されており、このキー収容部１３にメカニカルキー２０が収容されている。そして、このメカニカルキー２０は、キー溝の形成されるキープレート２１が上記キー収容部１３内に収容されるとともに、キープレート２１の基端部に設けられてユーザによって把持される部分となるグリップ部２２がケース１０の外周面から露出するかたちで携帯機に収容されている。一方、この携帯機では、上記キー収容部１３がメカニカルキー２０の収容される部分からさらにその延設方向、すなわち図中の上方向に延長された部分を有するとともに、この延長された部分がケース１０の右側面に貫通することで同ケース１０に開口部１０ａが形成されている。そして、キー収容部１３の開口部１０ａの形成される部分に、メカニカルキー２０をキー収容部１３内に保持するための機構であるロック機構３０が設けられている。ここで、図８は、ロック機構３０の正面構造を示したものである。なお、図８では、便宜上、アッパケース１１を割愛している。
【０００５】
同図８に示されるように、ロック機構３０は、上記キー収容部１３の開口部１０ａの形成される部分の略中央に位置してロアケース１２からその厚さ方向に突出するかたちで形成される円柱状の軸部１２ａと、ケース１０の開口部１０ａを塞ぐかたちで配設される回動部材３１とを備えている。ここで、この回動部材３１は、その中央の部分が軸部１２ａにより軸支されており、同軸部１２ａを中心に回動する。また、回動部材３１の軸部１２ａに軸支されている部分からキー収容部１３の開口部１３ａ側に延設される一方の延設部３１ａの先端部には、キー収容部１３内に突出する突起部３１ｃが形成されている。そして、このロック機構３０では、キープレート２１のキー溝２３の形成される部分よりも先端側の部分に突起部３１ｃの嵌合する貫通孔２４が形成されており、貫通孔２４に突起部３１ｃが嵌合することでメカニカルキー２０のキー収容部１３からの脱落を防止するようにしている。一方、回動部材３１の軸部１２ａに軸支されている部分から一方の延設部３１ａと反対側に延設される他方の延設部３１ｂの内面には、上記軸部１２ａに巻回される捩りコイルばね３２の一方の端部３２ａが当接している。ちなみに、この捩りコイルばね３２の他方の端部３２ｂは、キー収容部１３の回動部材３１に対向する面に当接している。そして、この捩りコイルばね３２の弾性力により上記回動部材３１の一方の延設部３１ａが図中の時計回りの方向に付勢されることで同回動部材３１の突起部３１ｃがキー収容部１３内に向けて付勢されている。すなわち、このロック機構３０では、捩りコイルばね３２の弾性力により突起部３１ｃが貫通孔２４に嵌合した状態を維持することでメカニカルキー２０がキー収容部１３内に収容された状態を維持するようにしている。
【０００６】
一方、このようにメカニカルキー２０がキー収容部１３内に保持されている状態で、回動部材３１の上記他方の延設部３１ｂの外面の部分を力Ｆで押す操作をユーザが行ったとする。このとき、図９に示すように、回動部材３１は上記捩りコイルばね３２の付勢力に抗して上記軸部１２ａを中心に図中の反時計回りの方向に回動し、これに伴って上記突起部３１ｃがメカニカルキー２０の貫通孔２４から外れて互いに嵌合した状態が解錠されるようになる。これにより、ユーザはメカニカルキー２０をキー収容部１３から取り出すことができるようになる。
【０００７】
電子キーシステムの携帯機としてのこのような構成によれば、メカニカルキー２０をキー収容部１３内に収容した状態を維持することができるとともに、ユーザは、必要に応じて回動部材３１を操作することでメカニカルキー２０をキー収容部１３から取り出すことができるようになる。
【特許文献１】特開２００５−２１３９３２号公報
【発明の開示】
【発明が解決しようとする課題】
【０００８】
ところで、近年、こうした電子キーシステムの携帯機にあっては、ユーザに好んで所持してもらうために、高い機能性と共に高い意匠性を有することが望まれている。ここで、携帯機に高い意匠性を持たせるための方法としては、例えば金属めっきされた加飾部材等を携帯機のケースの外周面に設ける、いわゆる金属加飾を施すことによって携帯機に高級感を持たせるといった方法がある。ただしこの場合、この加飾部材、あるいは同部材の金属めっきの種類によっては、車両との間で送受信される無線信号がこれら加飾部材等によって遮蔽されて正常な無線通信が妨げられてしまうといった問題も生じかねない。このため、携帯機に金属加飾を施す際には、携帯機内の受信装置や送信装置を避けるかたちで加飾部材を設ける必要がある。すなわち、携帯機では通常、受信装置や送信装置等の各種電子部品がその中央部分に位置して設けられていることから、例えば、図１０に示すように、携帯機のアッパケース１１の外周面の両側部に沿って加飾部材４０，４１を設けるといった方法が考えられる。
【０００９】
ところで、こうした加飾部材４０，４１をケース１０に固定するための方法としては、例えば適宜の接着剤により接着するといった方法等、種々の固定方法が考えられるが、より確実に固定するためには、例えば同図に示されるように、ねじ５０〜５３を用いて加飾部材４０，４１の各々の両端部をケース１０に締結固定することが望ましい。しかしながら、このようにねじ５０〜５３を用いて加飾部材４０，４１をケース１０に固定するようにした場合には、今度は別の問題が生じることが懸念される。
【００１０】
まず、同図に示されるように、携帯機のケース１０の外周面の両側部に加飾部材４０，４１を設けるようにしたとすると、一方の加飾部材４１は上記キー収容部１３に沿うかたちで配設されることとなる。一方、ねじ５０〜５３により加飾部材４０，４１をケース１０に確実に締結固定するためには、ねじ５０〜５３の軸部の長さをある程度の長さに設定することが望ましい。このため、ねじ５０〜５３により加飾部材４０，４１をケース１０に締結固定した際に、これらねじ５２，５３の先端部分が上記キー収容部１３内に達するおそれがある。そしてこの場合、キー収容部１３内に配設されるメカニカルキー２０とねじ５２とが互いに接触するようなことがあると、キー収容部１３内にメカニカルキー２０を挿入し難くなる。また、ロック機構３０とねじ５３とが互いに接触するようなことがあると、ロック機構３０の適切な動作が阻害されるといった状況も生じ得る。そしてその結果、ユーザによるメカニカルキー２０の適切な収容及び取り出しに支障をきたすおそれがある。
【００１１】
このため、メカニカルキー２０やロック機構３０とねじ５２，５３との間の接触を回避しつつ、メカニカルキー２０の適切な収容及び取り出しを維持するためには、携帯機として、例えば、以下のような構造を採用することが考えられる。まず、図１１に示すように、携帯機のケース１０の図中の上下方向の全長をより長く形成するようにした上で、加飾部材４１の図中の上方向の端部をキー収容部１３が配設される領域を超えて図中の上方向に延設するとともに、同加飾部材４１の図中の下方の端部をキー収容部１３を避けるかたちで屈曲させる。そして、同加飾部材４１の両端部をねじ５２，５３により締結するようにする。携帯機のこうした構成によれば、キー収容部１３に収容されているメカニカルキー２０やロック機構３０の各部品とねじ５２，５３とが接触することを回避することができるようになる。ただし、このような構造を採用するようにした場合には、携帯機のケース１０の全長を長く形成する必要があることから、携帯機の小型化が困難となる。
【００１２】
このように、電子キーシステムの携帯機にあっては、ねじ等の締結部材によりケースに加飾部材を固定することで加飾を施そうとすると、メカニカルキーの適切な収容及び取り出しの維持と携帯機の小型化との両立を図ることが困難であった。
【００１３】
なお、こうした課題は、ケースに加飾部材を締結固定するためにねじ等の締結部材を用いるようにした携帯機に限らず、上記アッパケース１１とロアケース１２といった携帯機の２つの構成部品を確実に固定するためにねじ等の締結部材を用いるようにした携帯機にも同様に生じ得る。また、上記車両の電子キーシステムに用いられる携帯機に限らず、例えば住宅の居住者が携帯機を所持した状態で玄関ドアに接近したときに玄関ドアのアンロックを自動的に実行する住宅の電子キーシステム等の無線通信システムに用いられる携帯機にも同様に発生し得る。
【００１４】
本発明は、こうした実情に鑑みてなされたものであり、その目的は、ねじ等の締結部材により携帯機の２つの構成部品を締結する場合であれ、ユーザによるメカニカルキーの適切な収容及び取り出しを維持しつつ、小型化を図ることのできる携帯機を提供することにある。
【課題を解決するための手段】
【００１５】
上記課題を解決するために、請求項１に記載の発明は、直方体状に形成されてメカニカルキーを収容するための空間であるキー収容部が側部に延設されるとともに、同キー収容部を前記メカニカルキーが収容される部分からその延設方向に延長した部分を有して、このキー収容部を延長した部分の内部に突出するかたちで円柱状の軸部が形成されるケースと、前記軸部を中心に回動するとともに、その回動操作を通じて前記メカニカルキーの一部に嵌合する位置と嵌合の解除される位置との間を変位する回動部材とを備え、前記メカニカルキーの一部と前記回動部材との嵌合及び嵌合の解除を通じて前記メカニカルキーを前記キー収容部内に取り出し可能に保持するロック機構を有してなる携帯機において、前記ケースには、その外周面から前記軸部に達するかたちで挿入孔が形成され、同挿入孔に挿入される締結部材により該携帯機の２つの構成部品が締結されてなることを要旨としている。
【００１６】
同構成によるように、回動部材の回転軸として機能する部分であるケースの軸部の部分に対応して挿入孔を形成するようにした上で、この挿入孔に締結部材を挿入することにより携帯機の２つの構成部品を締結するようにすれば、ユーザの操作に伴って実際に動く部分である回動部材を回避しつつ締結部材を設けることができるため、回動部材の適切な動作を維持することができ、ひいてはメカニカルキーをキー収容部内に取り出し可能に保持するロック機構の機能を適切に維持することができるようになる。また、この軸部はメカニカルキーを収容するための空間であるキー収容部をその延設方向に延長した部分に設けられているため、メカニカルキーをキー収容部内に収容する際の締結部材とメカニカルキーとの接触も回避することができる。したがって、ユーザによるメカニカルキーの適切な収容及び取り出しを維持することができるようになる。また、このように携帯機の２つの構成部品を締結するための構造を軸部の部分に設けるようにすれば、こうした締結構造をキー収容部の先端部、あるいは側方等にずらして設ける必要がなくなることから、ねじ等の締結部材により携帯機の２つの構成部品を締結する場合であれ、携帯機の小型化を図ることができるようになる。
【００１７】
請求項２に記載の発明は、直方体状に形成されてメカニカルキーを収容するための空間であるキー収容部が側面に延設される凹部として形成されるとともに、このキー収容部の内部に突出するかたちで円柱状の軸部が形成されるケースを備え、前記軸部に前記メカニカルキーの一端が回転可能に軸支されるとともに、前記メカニカルキーを回転操作することで前記メカニカルキーが前記キー収容部に収容されていて使用することのできない状態及び前記キー収容部から取り出されていて使用することのできる状態のいずれかの状態に切り替えることの可能な携帯機において、前記ケースには、その外周面から前記軸部に達するかたちで挿入孔が形成され、同挿入孔に挿入される締結部材により該携帯機の２つの構成部品が締結されてなることを要旨としている。
【００１８】
同構成によるように、メカニカルキーの回転軸として機能する部分であるケースの軸部の部分に対応して挿入孔を形成するようにした上で、この挿入孔に締結部材を挿入することにより携帯機の２つの構成部品を締結するようにすれば、ユーザの操作に伴って実際に動く部分であるメカニカルキーを回避しつつ締結部材を設けることができるようになるため、ユーザによるメカニカルキーの適切な収容及び取り出しを維持することができるようになる。また、このように携帯機の２つの構成部品を締結するための構造を軸部の部分に設けるようにすれば、こうした締結構造をキー収容部の先端部、あるいは側方等にずらして設ける必要がなくなることから、ねじ等の締結部材により携帯機の２つの構成部品を締結する場合であれ、携帯機の小型化を図ることができるようになる。
【００１９】
請求項３に記載の発明は、請求項１又は２に記載の携帯機において、前記ケースの外周面に、前記キー収容部の延設される方向に沿って当該携帯機を加飾するための加飾部材が更に延設され、前記携帯機の２つの構成部品として前記ケースと前記加飾部材とが前記締結部材により締結されていることを要旨としている。
【００２０】
同構成によるように、携帯機の構成部品であるケースと加飾部材とを締結部材により締結するようにすれば、加飾部材をケースに確実に固定することができるようになる。
請求項４に記載の発明は、請求項１又は２に記載の携帯機において、前記ケースは、ロアケースとアッパケースといった２つの部品が組み合わされたものとして構成され、前記携帯機の２つの構成部品としての前記ロアケースと前記アッパケースとが前記締結部材により締結されてなることを要旨としている。
【００２１】
同構成によるように、携帯機の構成部品であるアッパケースとロアケースとを締結部材により締結するようにすれば、これらアッパケースとロアケースとを確実に固定することができるようになる。
【００２２】
請求項５に記載の発明は、請求項１〜４のいずれか一項に記載の携帯機において、前記挿入孔には雌ねじが螺刻されるとともに、前記締結部材がこの雌ねじに対応したねじ山を有する雄ねじからなり、同雄ねじを前記雌ねじに螺入することによって該携帯機の構成部品が締結されてなることを要旨としている。
【００２３】
同構成によるように、携帯機の２つの構成部品を締結するための部材として汎用的に用いられているねじを採用することで、携帯機の構成部品を固定するための構造を容易に実現することができることから、上記請求項１〜４のいずれか一項に記載の携帯機の実現も容易となる。
【発明の効果】
【００２４】
本発明にかかる携帯機によれば、ねじ等の締結部材により携帯機の構成部品を締結する場合であれ、ユーザによるメカニカルキーの適切な収容及び取り出しを維持しつつ、その小型化を図ることができるようになる。
【発明を実施するための最良の形態】
【００２５】
以下、本発明にかかる携帯機の一実施形態について図１〜図３を参照して説明する。なお、本実施形態も携帯機としての基本構造は先の図１１に例示した構造に準ずるものであり、ここでは先の図１１に対応する図として、本実施形態にかかる携帯機の正面構造を図１（ａ）に示すとともに、同じく本実施形態にかかる携帯機の側面構造及び背面構造をそれぞれ図１（ｂ），（ｃ）に示す。また、これら図１（ａ）〜（ｃ）において、先の図１１に示した要素と同一の要素にはそれぞれ同一の符号を付している。はじめに、これら図１（ａ）〜（ｃ）を参照して、この携帯機の構造を具体的に説明する。
【００２６】
同図１（ａ）〜（ｃ）に示されるように、この携帯機も、基本的には先の図１１に例示した携帯機と同様、ケース１０がアッパケース１１及びロアケース１２の分割体として構成されるとともに、このケース１０の右側部にメカニカルキー２０を収容するためのキー収容部１３が形成されている。ちなみに、このメカニカルキー２０も、キー溝の形成されるキープレート２１がキー収容部１３内に収容されるとともに、キープレート２１の基端部に設けられているグリップ部２２がケース１０の外周面から露出するかたちで携帯機に収容されている。また、キー収容部１３はメカニカルキー２０の収容されている部分からその延設方向にさらに延長された部分を有しており、このキー収容部１３を延長した部分がケース１０の右側面に貫通することで同ケース１０に開口部１０ａが形成されている。そして、このキー収容部１３の開口部１０ａの形成される部分に、メカニカルキー２０をキー収容部１３内に保持するための機構であるロック機構３０が設けられている。
【００２７】
ところで、ケース１０の正面には、その両側部に沿って金属めっきされた加飾部材４０，４１が設けられているとともに、ケース１０の背面にも、これら加飾部材４０，４１と同様にして、その両側部に沿って金属めっきされた加飾部材６０，６１が設けられている。ここで、ケース１０のキー収容部１３が設けられていない側の側部に設けられている加飾部材４０、６０は、ケース１０の側部に沿って直線状に設けられているとともに、その両端部がねじ５０，５１及びねじ７０，７１によりアッパケース１１及びロアケース１２にそれぞれ締結されて固定されている。一方、ケース１０のキー収容部１３が設けられている側の側部に設けられている加飾部材４１，６１は、ケース１０の側部に沿って、すなわち上記キー収容部１３に沿って直線状にそれぞれ形成されるとともに、それらのキー収容部１３の開口部１３ａ側の端部が同キー収容部１３を避けるかたちで屈曲した形状にそれぞれ形成されている。ここで、これら加飾部材４１，６１は、その屈曲した部分の端部がねじ５２，７２によりアッパケース１１及びロアケース１２にそれぞれ締結されて固定されるとともに、その反対側の部分がロック機構３０の配設される部分においてねじ５３，７３によりアッパケース１１及びロアケース１２にそれぞれ締結して固定されている。
【００２８】
次に、図２及び図３を参照して、ねじ５３，７３により加飾部材４１，６１をアッパケース１１及びロアケース１２にそれぞれ締結している部分の構造について詳細に説明する。図２（ａ）は、ねじ５３により加飾部材４１をアッパケース１１に締結している部分の構造を、また、図２（ｂ）は、ねじ７３により加飾部材６１をロアケース１２に締結している部分の構造をそれぞれ示したものである。さらに、図３は、図２（ａ）のＡ−Ａ線に沿った断面構造を示したものである。
【００２９】
同図２（ａ），（ｂ）に先の図８と同一の符号をもって示すように、このロック機構３０も、基本的には先の図８に例示したロック機構３０と同様、上記開口部１０ａを塞ぐたかちで配設されるとともに、その中央の部分が軸部１２ａにより軸支されることで同軸部１２ａを中心に回動する回動部材３１を備えている。ここで、回動部材３１は、その他方の延設部３１ｂの内面の部分に捩りコイルばね３２の一方の端部３２ａが当接することでその弾性力により図中の時計回りの方向に付勢されており、これにより回動部材３１の一方の延設部３１ａの先端部に形成されている突起部３１ｃがキー収容部１３内に向けて付勢されている。そして、このロック機構３０でも、この回動部材３１の突起部３１ｃがメカニカルキー２０の先端部に設けられている貫通孔２４に嵌合することで、メカニカルキー２０のキー収容部１３からの脱落を防止するようにしている。
【００３０】
ここで、図３に示されるように、軸部１２ａは、ロアケース１２からその厚さ方向、すなわち図中の上方に突出するかたちで円柱状に形成されており、その先端面が上記アッパケース１１の内面に当接している。ちなみに、軸部１２ａには、上記回動部材３１が回転摺動可能に嵌合するとともに、上記捩りコイルばね３２が巻回されている。また、この軸部１２ａの先端部分にはワッシャ３３が固定して設けられており、これによりロアケース１２からアッパケース１１を取り外した場合であっても、回動部材３１及び捩りコイルばね３２が軸部１２ａから容易に外れないようになっている。
【００３１】
そして、この携帯機では、軸部１２ａの部分に対応して加飾部材４１の外面からアッパケース１１の外周面及びその内部、軸部１２ａ、ロアケース１２の外周面を通り加飾部材６１の外面に貫通する挿入孔８０を設けた上で、この挿入孔８０に雌ねじを螺刻するようにしている。また、上記ねじ５３，７３をこの雌ねじに対応したねじ山を有する雄ねじとして形成するようにしている。そして、挿入孔８０に加飾部材４１の外方からアッパケース１１を通り軸部１２ａに達するかたちでねじ５３を螺入することで加飾部材４１をアッパケース１１に、また、挿入孔８０に加飾部材６１の外方から同じく軸部１２ａに達するかたちでねじ７３を螺入することで加飾部材６１をロアケース１２にそれぞれ締結するようにしている。ここで、上記ロック機構３０にあっては、ユーザの操作に伴って実際に動く部分は回動部材３１や捩りコイルばね３２といった要素であり、軸部１２ａの部分はその位置が固定されている部分であるため、ねじ５３，７３によりロック機構３０の適切な動作が阻害されることはない。したがって、メカニカルキー２０をキー収容部１３内に取り出し可能に保持するロック機構３０としての機能は適切に維持されたままとなる。また、この軸部１２ａは、キー収容部１３のメカニカルキー２０の収容される部分からその延設方向に延長した部分に設けられているため、メカニカルキー２０をキー収容部１３に収容する際にメカニカルキー２０とねじ５３，７３とが接触することがない。したがって、ユーザによるメカニカルキー２０の適切な収容及び取り出しをそのまま維持することもできる。さらに、アッパケース１１及びロアケース１２に加飾部材４１，６１を締結するための構造を軸部１２ａに設けるようにすれば、こうした締結構造をキー収容部１３の先端部、あるいは側方等にずらして設ける必要がなくなる。このため、ねじ５３，７３により加飾部材４１，６１をアッパケース１１及びロアケース１２に締結する場合であれ、携帯機の小型化を図ることができるようになる。
【００３２】
以上説明したように、本実施形態にかかる携帯機によれば、以下のような効果が得られるようになる。
（１）加飾部材４１の外面からアッパケース１１の外周面及びその内部、軸部１２ａ、ロアケース１２の外周面を通り加飾部材６１の外面に貫通する挿入孔８０を設けた上で、この挿入孔８０にねじ５３，７３を互いに反対側から螺入することにより加飾部材４１，６１をアッパケース１１及びロアケース１２に固定するようにした。これにより、メカニカルキー２０をキー収容部１３に収容する際にメカニカルキー２０とねじ５３，７３とが接触することを回避するできるようになるとともに、メカニカルキー２０をキー収容部１３内に取り出し可能に保持するロック機構３０としての機能が適切に維持されるようになるため、ユーザによるメカニカルキー２０の適切な収容及び取り出しを維持することができるようになる。また、加飾部材４１，６１をアッパケース１１及びロアケース１２に締結するための構造をキー収容部１３の先端部、あるいは側方等にずらして設ける必要がなくなることから、携帯機の小型化を図ることもできるようになる。
【００３３】
（２）挿入孔８０に加飾部材４１の外方からアッパケース１１を通り軸部１２ａに達するかたちでねじ５３を螺入するとともに、加飾部材６１の外方から同じく軸部１２ａに達するかたちでねじ７３を螺入するようにした。これにより、加飾部材４１，６１をアッパケース１１及びロアケース１２に確実に固定することができるようになるとともに、アッパケース１１とロアケース１２とを固定することもできるようになる。
【００３４】
なお、上記実施形態は、これを適宜変更した以下の形態にて実施することもできる。
・本願発明は、図４（ａ），（ｂ）に例示する携帯機にも同様に適用することが可能である。図４（ａ）は、メカニカルキーが収容されている状態での携帯機の正面構造を、また、図４（ｂ）は、メカニカルキーが取り出された状態での携帯機の正面構造をそれぞれ示したものである。図４（ａ）に示されるように、この携帯機は、直方体状に形成されたケース１００を備え、メカニカルキー１２０を収容するための空間であるキー収容部がケース１００の右側面に延設される凹部１１３として形成されている。ここで、この凹部１１３は、その端部に断面積の拡大した部分を有しており、この断面積の拡大した部分の内部に同ケース１００の厚さ方向に突出するかたちで円柱状の軸部１１２ａが形成されている。そして、この軸部１１２ａには、メカニカルキー１２０の一端が回転可能に軸支されている。ここで、この携帯機では、同図４（ａ）に示されるように、メカニカルキー１２０が凹部１１３内に収容されている状態ではメカニカルキー１２０の使用が不可能な状態となっている。一方、このメカニカルキー１２０は、凹部１１３内に収容されている状態から上記軸部１１２ａを支点として図中の時計回りの方向に回動操作されると、図４（ｂ）に示されるように、メカニカルキー１２０が凹部１１３から取り出された状態となり、その使用が可能となる。ところで、この携帯機では、ケース１００の軸部１１２ａの設けられている部分にケース１００の外周面から軸部１１２ａに達するかたちで挿入孔を形成した上で、この挿入孔に雌ねじを形成するようにしている。そして、この挿入孔にねじ１５２を螺入することで、ケース１００の正面の右側部に設けられている加飾部材１４１の一端をケース１００に締結するようにしている。ちなみに、加飾部材１４１の他端はねじ１５３により、また、ケース１００の左側部に設けられている加飾部材１４０の両端はねじ１５０，１５１によりそれぞれケース１００に締結されている。携帯機としてのこうした構成によれば、ユーザの操作に伴って動く部分はメカニカルキー１２０の部分であり、軸部１１２ａの部分はその位置が固定されている部分であるため、ねじ１５３によりメカニカルキー１２０の適切な動作が阻害されることはない。このため、ユーザによるメカニカルキー１２０の適切な収容及び取り出しをそのまま維持することができる。また、ケース１００に加飾部材１４１を締結するための構造を軸部１１２ａの部分に設けるようにすれば、こうした締結構造を凹部１１３の先端部、あるいは側方等にずらして設ける必要がなくなる。このため、ねじ１５３により加飾部材１４１をケース１００に締結する場合であれ、携帯機の小型化を図ることができるようになる。
【００３５】
・上記実施形態では、加飾部材４１，６１をアッパケース１１及びロアケース１２に締結するための締結部材としてねじ５３，７３を用いるようにした。これに代えて、例えば、図５に示されるように、挿入孔８０に加飾部材４１の外面からアッパケース１１及び軸部１２ａを通り加飾部材６１の外面に達するかたちで挿入されるボルト５４と、このボルト５４の先端部に取り付けられるナット７４とを用いるようにしてもよい。ちなみに、この場合には、挿入孔８０に雌ねじを螺刻する必要はない。また、これらねじ５３，７３やボルト５４及びナット７４に代えて、例えばリベットを用いるようにしてもよい。要は、加飾部材４１，６１をアッパケース１１及びロアケース１２に締結するための締結部材としては、適宜の締結部材を用いることが可能である。
【００３６】
・図６に示されるように、ケース１０にアッパケース１１の外周面から軸部１２ａに達するかたちで挿入孔８１を設けた上で、この挿入孔８１にねじ５３を締結することにより、アッパケース１１及びロアケース１２のみを締結するようにしてもよい。要は、携帯機のケースにその外周面から軸部に達するかたちで挿入孔を形成した上で、この形成された挿入孔に締結部材を挿入することで携帯機の２つの構成部品を締結するようにしたものであればよい。
【００３７】
・上記実施形態では、本発明にかかる携帯機を車両の電子キーシステムに用いられる携帯機に適用したが、他の携帯機、例えば、ユーザが携帯機を所持した状態で住宅の玄関ドアに接近することで玄関ドアのアンロックが自動的に実行される住宅の無線システムに用いられる携帯機に適用するようにしてもよい。
（付記）
次に、上記実施形態及びその変形例から把握できる技術的思想について追記する。
【００３８】
（イ）請求項１〜５のいずれか一項に記載の携帯機において、当該携帯機が、車両に設けられた通信装置との間の無線通信を通じて、あるいは前記メカニカルキーの使用を通じて車両ドアを施解錠する車両の電子キーシステムに使用されるものである携帯機。具体的には、請求項１〜５のいずれか一項に記載の携帯機を、車両の電子キーシステムに使用される携帯機に適用することができる。
【図面の簡単な説明】
【００３９】
【図１】（ａ）〜（ｃ）は、本発明にかかる携帯機の一実施形態についてその正面構造、右側面構造、及び背面構造をそれぞれ示す正面図、右側面図、及び背面図。
【図２】（ａ），（ｂ）は、同実施形態の携帯機のロック機構の正面構造及び背面構造をそれぞれ示す正面図及び背面図。
【図３】図２（ａ）のＡ−Ａ線に沿った断面構造を示す断面図。
【図４】（ａ），（ｂ）は、本発明にかかる携帯機の変形例についてそのメカニカルキーが収容されているときの正面構造とメカニカルキーが取り出されているときの正面構造とをそれぞれ示す正面図。
【図５】本発明にかかる携帯機の他の変形例について図２（ａ）のＡ−Ａ線に沿った断面構造を示す断面図。
【図６】本発明にかかる携帯機の他の変形例について図２（ａ）のＡ−Ａ線に沿った断面構造を示す断面図。
【図７】（ａ），（ｂ）は、従来の携帯機の一例についてその正面構造及び右側面構造を示す正面図、及び右側面図。
【図８】同従来の携帯機のロック機構についてその正面構造を示す正面図。
【図９】同従来の携帯機のロック機構についてその正面構造を示す正面図。
【図１０】同従来の携帯機の他の例についてその正面構造を示す正面図。
【図１１】同従来の携帯機の他の例についてその正面構造を示す正面図。
【符号の説明】
【００４０】
１０，１００…ケース、１０ａ…開口部、１１…アッパケース、１２…ロアケース、１２ａ，１１２ａ…軸部、１３…キー収容部、１３ａ…開口部、２０，１２０…メカニカルキー、２１…キープレート、２２…グリップ部、２３…キー溝、２４…貫通孔、３０…ロック機構、３１…回動部材、３１ａ，３１ｂ…延設部、３１ｃ…突起部、３２…捩りコイルばね、３２ａ，３２ｂ…端部、３３…ワッシャ、４０，４１，６０，６１，１４０，１４１…加飾部材、５０〜５３，１５０〜１５３…ねじ、５４…ボルト、７０〜７３…ねじ、７４…ナット、８０，８１…挿入孔、１１３…凹部。
【図１】
2009235669.tif 000003
【図２】
2009235669.tif 000004
【図３】
2009235669.tif 000005
【図４】
2009235669.tif 000006
【図５】
2009235669.tif 000007
【図６】
2009235669.tif 000008
【図７】
2009235669.tif 000009
【図８】
2009235669.tif 000010
【図９】
2009235669.tif 000011
【図１０】
2009235669.tif 000012
【図１１】
2009235669.tif 000013